(57)【特許請求の範囲】
【請求項１】
本体ケースと、
前記本体ケースの中に配置された加熱庫と、
外気を吸引し、前記本体ケースと前記加熱庫の間の空間に庫外空気として送り込む第１のファンモーターと、
外気を吸引し、前記加熱庫内に庫内空気として送り込む第２のファンモーターと、
前記本体ケースの背面に設けられ、前記第１のファンモーターにより前記空間に送り込まれた庫外空気を外部へ導くための庫外通気口と、
前記本体ケースの背面に前記庫外通気口と並んで設けられ、前記第２のファンモーターにより前記加熱庫内に送り込まれた庫内空気を外部へ導くための庫内通気口と、
前記本体ケースの背面に前記庫外通気口と前記庫内通気口を覆うように設けられた本体排気装置とを備え、
前記本体排気装置は、
前記庫外通気口と前記庫内通気口をそれぞれ通過する庫外空気および庫内空気の排気風路を形成する分離手段と、
前記分離手段により分離された排気風路をそれぞれ通過した庫外空気および庫内空気を排出して混合させる排気口とを有し、
前記分離手段は、前記排気口を上下に分離し、前記庫外通気口を通過する庫外空気を前記排気口の下部から斜め上方に排出させると共に、前記庫内通気口を通過する庫内空気を前記排気口の上部からほぼ水平に排出させるセパレーター板より構成されていることを特徴とする加熱調理器。
【請求項２】
前記セパレーター板は、金属板より構成されていることを特徴とする請求項１記載の加熱調理器。
【発明の詳細な説明】
【技術分野】
【０００１】
本発明は、例えばマグネトロンを有する加熱調理器に関するものである。
【背景技術】
【０００２】
従来の加熱調理器は、加熱庫の放出口から放出通路を通って排気ダクト内に導かれる蒸気を、シロッコファンの吹出口から吹き出される空気と攪拌・混合し、前方に向かって斜め上方に排出している（例えば、特許文献１参照）。
【先行技術文献】
【特許文献】
【０００３】
【特許文献１】特許第４３９８８１４号公報（第１３頁、図７）
【発明の概要】
【発明が解決しようとする課題】
【０００４】
しかしながら、前述した従来の加熱調理器では、蒸気と空気とを十分に攪拌・混合するために、排気ダクトの寸法が大きくなり、しかもシロッコファンが必要であった。
【０００５】
本発明は、前述のような課題を解決するためになされたものであり、シロッコファンを用いることなく、加熱庫外の空気と加熱庫内の蒸気を含む空気を排出して混合させる加熱調理器を提供することを目的とする。
【課題を解決するための手段】
【０００６】
本発明に係る加熱調理器は、本体ケースと、本体ケースの中に配置された加熱庫と、外気を吸引し、本体ケースと加熱庫の間の空間に庫外空気として送り込む第１のファンモーターと、外気を吸引し、加熱庫内に庫内空気として送り込む第２のファンモーターと、本体ケースの背面に設けられ、第１のファンモーターにより空間に送り込まれた庫外空気を外部へ導くための庫外通気口と、本体ケースの背面に庫外通気口と並んで設けられ、第２のファンモーターにより加熱庫内に送り込まれた庫内空気を外部へ導くための庫内通気口と、本体ケースの背面に庫外通気口と庫内通気口を覆うように設けられた本体排気装置とを備え、本体排気装置は、庫外通気口と庫内通気口をそれぞれ通過する庫外空気および庫内空気の排気風路を形成する分離手段と、分離手段により分離された排気風路をそれぞれ通過した庫外空気および庫内空気を排出して混合させる排気口とを有し、分離手段は、排気口を上下に分離し、庫外通気口を通過する庫外空気を排気口の下部から斜め上方に排出させると共に、庫内通気口を通過する庫内空気を排気口の上部からほぼ水平に排出させるセパレーター板より構成されている。
【発明の効果】
【０００７】
本発明によれば、本体ケースの背面に設けられた庫外通気口と庫内通気口をそれぞれ通過する庫外空気および庫内空気を分離手段で分離し、分離した各空気を排気口から排出して混合するようにしているので、シロッコファンを用いることなく、庫外空気より高温の庫内空気を、庫外空気により低温化することができる。
【図面の簡単な説明】
【０００８】
【図１】実施の形態に係る加熱調理器の外観を示す斜視図である。
【図２】実施の形態に係る加熱調理器の内部を示す斜視図である。
【図３】図２の加熱調理器の背面ケースを分解して示す斜視図である。
【図４】図２の加熱調理器の正面側を切断して示す断面の模式図である。
【図５】実施の形態に係る加熱調理器の本体排気装置を拡大して示す正面図、断面図および下面図である。
【図６】実施の形態の加熱調理器において側部吸気口および下部吸気口から第１の庫外通気口に至るまでの冷却空気の流れを示す斜視図である。
【図７】実施の形態の加熱調理器において側部吸気口および下部吸気口から庫内通気口に至るまでの庫内空気の流れを示す斜視図である。
【図８】図６および図７に続いて上部排気部から排出される冷却空気および庫内空気の流れを示す斜視図である。
【発明を実施するための形態】
【０００９】
以下、本発明に係る加熱調理器の実施の形態を図面を用いて説明する。まず、本実施の形態の加熱調理器の構成について図１〜図４を用いて説明する。
図１は実施の形態に係る加熱調理器の外観を示す斜視図、図２は実施の形態に係る加熱調理器の内部を示す斜視図、図３は図２の加熱調理器の背面ケースを分解して示す斜視図、図４は図２の加熱調理器の正面側を切断して示す断面の模式図である。
【００１０】
図において、本実施の形態における加熱調理器は、例えばオーブンレンジに適用され、後部に背面ケース３が設けられた本体ケース１と、本体ケース１の前部に回動自在に設けられたドア２を備えている。ドア２の上部中央には、ハンドル４が取り付けられ、ドア２の前面の片側には、表示部５ａを有する操作パネル５が設けられている。背面ケース３の上部枠体３ｐには、後述する本体排気装置６の排気口が突出して設けられ、背面ケース３の片側の側部枠体３ｑには、複数の矩形状の穴からなる側部吸気口３ａが設けられている。
【００１１】
前述の背面ケース３は、図３に示すように、本体ケース１の背面を覆う第１の背面板３ｇと、第１の背面板３ｇと空間を有して接合される第２の背面板３ｄとで構成されている。第１の背面板３ｇには、後述する加熱庫７の背面板７ｅとほぼ同じ大きさを有する矩形状の凹部３ｈが設けられている。第１の背面板３ｇに加熱庫７を取り付ける場合、その凹部３ｈを覆うようにしてネジ止めにより固定される。その場合、加熱庫７の背面板７ｅと凹部３ｈの間には隙間が存在する。
【００１２】
第１の背面板３ｇの上側の面には、横方向に延びる矩形状の第１の庫外通気口３ｂと庫内通気口３ｃが設けられ、左側の面には、縦方向に延びる矩形状の第２の庫外通気口３ｉが設けられている。第１の背面板３ｇの右側の面には、複数のパンチ穴からなる上部吸込口３ｋと下部吸込口３ｌが設けられ、第１の背面板３ｇの凹部３ｈには、横方向に延びる第３の庫外通気口３ｊが設けられている。
【００１３】
第２の背面板３ｄは、第１の背面板３ｇ側に直角に折り曲げられた上部枠体３ｐおよび側部枠体３ｑを有している。また、第２の背面板３ｄの上部枠体３ｐには、本体排気装置６の排気口カバー６２ａを突出させるための切欠部３ｅが設けられている。また、第２の背面板３ｄには、側部吸気口３ａが設けられた側部枠体３ｑ側に板状の仕切板３ｆが設けられている。第１の背面板３ｇと第２の背面板３ｄを合わせて背面ケース３を構成した場合、仕切板３ｆを境に下部吸気口３ｍと下部排気口３ｎが形成される。
【００１４】
本体ケース１内には、図２および図４に示すように、前面開口の矩形状箱体の加熱庫７が設けられている。加熱庫７の前面開口は，前述のドア２によって開閉される。加熱庫７の上面板７ｃには、マイカヒーター１７とマイカヒーター１７を覆う断熱材８が取り付けられている。マイカヒーター１７は、加熱庫７内に収納される被加熱物を上方から加熱するための面状発熱体である。加熱庫７の片側の側面板７ｄには、複数のパンチ穴からなる庫内給気口７ａが設けられ、上面板７ｃの後部には、複数のパンチ穴からなる庫内排気口７ｂが設けられている。庫内排気口７ｂと前述の庫内通気口３ｃは、排気ダクト１６により連通されている。
【００１５】
また、加熱庫７の背面板７ｅには、図４に示すように、複数のパンチ穴からなる吸込口２２と吹出口２３がそれぞれ設けられている。吸込口２２と吹出口２３は、加熱庫７の背面板７ｅの外側に設けられたコンベクションユニット７ｇと連通している（図３参照）。コンベクションユニット７ｇは、吸込口２２と対向配置されたコンベクションファンと、吹出口２３と対向配置されたコンベクションヒーターにより構成されている。そのコンベクションファンは、本体ケース１の底部に設置されたモーターにベルトを通して回転可能に連結されている。コンベクションファンにより加熱庫７内の空気を吸込口２２から吸い込み、その空気をコンベクションヒーターにより高温にし、吹出口２３から高温の空気を吹き出し、熱風を循環させて加熱庫７内の被加熱物を加熱する。
【００１６】
加熱庫７に隣接して設けられた庫外冷却ファンモーター９（第１のファンモーター）は、吸引側が背面ケース３の第１の背面板３ｇに設けられた上部吸込口３ｋと対向するように設置されている。庫外冷却ファンモーター９の送風側には、内部に電源基板１１が設置された庫外給気ダクト１０が設けられている。庫外冷却ファンモーター９は、電源基板１１、本体ケース１の底部上に設置された制御基板１２や、加熱庫７の周囲を冷却する。
【００１７】
庫外冷却ファンモーター９の下方に設置された庫内冷却ファンモーター１３（第２のファンモーター）は、吸引側が背面ケース３の第１の背面板３ｇに設けられた下部吸込口３ｌと対向するように設置されている。庫内冷却ファンモーター１３の送風側には、マグネトロン１４を介して加熱庫７の庫内給気口７ａと連結された庫内給気ダクト１５が設けられている。庫内冷却ファンモーター１３は、マグネトロン１４を冷却すると共に、加熱庫７内の空気（蒸気を含んだ空気）を庫内排気口７ｂから排出する。
【００１８】
加熱庫７の底面板７ｆの下側には、加熱庫７内に収納された被加熱物を下方から加熱するシーズヒーター１８が設置されている。また、シーズヒーター１８の中心をほぼ軸心として回転アンテナ１９および回転アンテナ１９を回転させるアンテナモーター２０が設置されている。また、加熱庫７の底面板７ｆの下側には、マグネトロン１４から発振されたマイクロ波を回転アンテナ１９に伝搬するための導波管２１が設けられている。そのマイクロ波は、回転アンテナ１９により加熱庫７内に放射され、被加熱物を加熱する。
【００１９】
次に、前述した本体排気装置６の構成について図５を用いて説明する。
図５は実施の形態に係る加熱調理器の本体排気装置を拡大して示す正面図、断面図および下面図である。
本体排気装置６は、排気カバー６１ａと、排気カバー６１ａの上部に設けられた排気口カバー６２ａと、分離手段であるセパレーター板６３ａを備えている。
【００２０】
排気カバー６１ａは、第１の背面板３ｇに設けられた凹部３ｈの幅とほぼ同じ長さを有し、断面が不等辺山形状に形成され、その両端部に側板６１ｂが設けられている。排気カバー６１ａの短辺板６１ｃ（水平側）のうち排気口カバー６２ａ側の部分には、１つの矩形状の開口部６１ｄが設けられている。排気口カバー６２ａは、前述した開口部６１ｄを覆うように排気カバー６１ａの短辺板６１ｃから上方に突出して設けられ、第１の背面板３ｇ側に１つの矩形状の開口部６２ｂが設けられている。その開口部６２ｂは、短辺板６１ｃから上方に向かうに従って後方に傾斜している。また、その開口部６２ｂには、複数のリブ６２ｃが設けられている。
【００２１】
セパレーター板６３ａは、リブ６２ｃから後方に延びて直角に下方に折り曲げられた板状の例えばアルミ材からなっている。セパレーター板６３ａは、第１の背面板３ｇに設けられた第１の庫外通気口３ｂと対向し、排気カバー６１ａのほぼ中央から第１の背面板３ｇ側に斜めに折り曲げられている。セパレーター板６３ａの折れ曲がった上端部によって、排気口カバー６２ａの開口部６２ｂが上下に分離されている。その上が庫内空気排気口６２ｄとして、その下が庫外空気排気口６２ｅとして使用されている。
【００２２】
前記のように構成された排気カバー６１ａを第１の背面板３ｇに後ろから取り付けた場合、排気カバー６１ａの両側の側板６１ｂが第１の背面板３ｇの凹部３ｈの上部に載置されて、第１の庫外通気口３ｂおよび庫内通気口３ｃが覆われる。その時、セパレーター板６３ａの傾斜部の先端が第１の庫外通気口３ｂの右側部分の第１の背面板３ｇに当接して、排気カバー６１ａのもう一方の側板６１ｂと第１の背面板３ｇの凹部３ｈの上部とで、第１の庫外通気口３ｂを覆った状態となる。そのセパレーター板６３ａにより、第１の庫外通気口３ｂと排気口カバー６２ａの庫外空気排気口６２ｅを連通する排気風路が形成される。また、前述のセパレーター板６３ａにより、庫内通気口３ｃと排気口カバー６２ａの庫内空気排気口６２ｄを連通するもう一つの排気風路が形成される。
【００２３】
ここで、加熱庫７内の被加熱物を加熱しているときの庫外空気（冷却空気）および庫内空気の流れを図６〜図８を用いて説明する。
図６は実施の形態の加熱調理器において側部吸気口および下部吸気口から第１の庫外通気口に至るまでの冷却空気の流れを示す斜視図、図７は実施の形態の加熱調理器において側部吸気口および下部吸気口から庫内通気口に至るまでの庫内空気の流れを示す斜視図、図８は図６および図７に続いて上部排気部から排出される冷却空気および庫内空気の流れを示す斜視図である。
【００２４】
まず、図６を参照しながら冷却空気の流れについて説明する。
庫外冷却ファンモーター９の駆動により、外気が側部吸気口３ａおよび下部吸気口３ｍから吸引されると、その外気は、さらに庫外冷却ファンモーター９により上部吸込口３ｋから吸引され、冷却空気として庫外給気ダクト１０内に導かれて本体ケース１内に放出される。その時、庫外給気ダクト１０内に設置された電源基板１１が冷却され、制御基板１２が冷却される。
【００２５】
前述の電気部品を冷却した冷却空気は、加熱庫７の側面板７ｄによって、一方は加熱庫７の上方に流れ、他方は加熱庫７の下方に流れる。上方に流れた冷却空気は、加熱庫７の上面板７ｃおよび断熱材８からの放熱により暖められる本体ケース１の上部を冷却しながら第１の庫外通気口３ｂに至る。また、下方に流れた冷却空気は、加熱庫７の底面板７ｆおよびシーズヒーター１８からの放熱により暖められる本体ケース１の下部を冷却しながら本体ケース１と加熱庫７の間の空間に押し上げられ、第１の庫外通気口３ｂに至る。
【００２６】
次に、図７を参照しながら庫内空気の流れについて説明する。
庫内冷却ファンモーター１３の駆動により、外気が側部吸気口３ａおよび下部吸気口３ｍから吸引されると、その外気は、さらに庫内冷却ファンモーター１３により下部吸込口３ｌから吸引され、庫内給気ダクト１５内に導かれてマグネトロン１４を冷却しながら庫内給気口７ａから加熱庫７内に流れ込む。加熱庫７内に流れ込んだ庫内空気は、マイクロ波により被加熱物から放出される蒸気と共に庫内排気口７ｂから排出され、排気ダクト１６を通って庫内通気口３ｃに至る。
【００２７】
次に、図８を参照しながら上部排気部６２から外部へ排出される冷却空気および庫内空気の流れについて説明する。
第１の庫外通気口３ｂに至った冷却空気は、排気カバー６１ａのセパレーター板６３ａと第１の背面板３ｇおよびその凹部３ｈとで形成される排気風路により上方に流れ、排気口カバー６２ａの庫外空気排気口６２ｅから斜め上方に外部へ排出される。
【００２８】
一方、庫内通気口３ｃに至った蒸気を含む庫内空気は、排気カバー６１ａおよびセパレーター板６３ａと第１の背面板３ｇおよびその凹部３ｈとで形成される排気風路に流れ込み、セパレーター板６３ａによって庫内空気排気口６２ｄ側に案内され、その庫内空気排気口６２ｄからほぼ水平に外部へ排出される。その時、蒸気を含む庫内空気は、庫内空気排気口６２ｄから排出される際に、庫外空気排気口６２ｅから斜め上方に排出される冷却空気と混合される。前述の庫内空気は、庫外空気より高温で、排気カバー６１ａ内に送り込まれたときに、セパレーター板６３ａを介して庫外空気と熱交換され、さらに、庫内空気排気口６２ｄから排出される際に庫外空気排気口６２ｅから排出される庫外空気と混合されるので、低温となる。
【００２９】
なお、本体ケース１と加熱庫７の間の空間に流れた冷却空気は、第２の庫外通気口３ｉを通過し、背面ケース３に設けられた下部排気口３ｎから外部へと排出される。さらに、加熱庫７の上方に流れた冷却空気は、加熱庫７と背面ケース３の第１の背面板３ｇに設けられた凹部３ｈとの間の隙間を通って、その凹部３ｈ内に流れ込み、第３の庫外通気口３ｊから前述の下部排気口３ｎへと流れる。
【００３０】
以上のように本実施の形態によれば、本体ケース１の背面に設けられた第１の庫外通気口３ｂと庫内通気口３ｃをそれぞれ通過する庫外空気および庫内空気をアルミ材よりなるセパレーター板６３ａで分離し、分離した庫外空気を庫外空気排気口６２ｅから斜め上方に排出すると共に、庫内空気を庫内空気排気口６２ｄからほぼ水平に排出して混合するようにしている。これにより、前述の従来技術のようにシロッコファンを用いることなく、庫外空気より高温の庫内空気をセパレーター板６３ａを通して庫外空気と熱交換でき、さらに、熱交換された庫内空気を庫外空気と混合させるので、庫内通気口３ｃから排出される庫内空気を低温化することができる。
【００３１】
なお、実施の形態では、セパレーター板６３ａにアルミ材を用いたことを述べたが、これに限定されるものではなく、高温の庫内空気と冷却空気（庫外空気）を効率よく熱交換するものであれば何れの材料を用いても良い。
【符号の説明】
【００３２】
１  本体ケース、２  ドア、３  背面ケース、３ａ  側部吸気口、３ｂ  第１の庫外通気口、３ｃ  庫内通気口、３ｄ  第２の背面板、３ｅ  切欠部、３ｆ  仕切板、３ｇ  第１の背面板、３ｈ  凹部、３ｉ  第２の庫外通気口、３ｊ  第３の庫外通気口、３ｋ  上部吸込口、３ｌ  下部吸込口、３ｍ  下部吸気口、３ｎ  下部排気口、３ｐ  上部枠体、３ｑ  側部枠体、４  ハンドル、５  操作パネル、６  本体排気装置、６１ａ  排気カバー、６１ｂ  側板、６１ｃ  短辺板、６１ｄ  開口部、６２ａ  排気口カバー、６２ｂ  開口部、６２ｃ  リブ、６２ｄ  庫内空気排気口、６２ｅ  庫外空気排気口、６３ａ  セパレーター板、７  加熱庫、７ａ  庫内給気口、７ｂ  庫内排気口、７ｃ  上面板、７ｄ  側面板、７ｅ  背面板、７ｆ  底面板、７ｇ  コンベクションユニット、８  断熱材、９  庫外冷却ファンモーター、１０  庫外給気ダクト、１１  電源基板、１２  制御基板、１３  庫内冷却ファンモーター、１４  マグネトロン、１５  庫内給気ダクト、１６  排気ダクト、１７  マイカヒーター、１８  シーズヒーター、１９  回転アンテナ、２０  アンテナモーター、２１  導波管、２２  吸込口、２３  吹出口。
【図１】
0005645711.tif 000002
【図２】
0005645711.tif 000003
【図３】
0005645711.tif 000004
【図４】
0005645711.tif 000005
【図５】
0005645711.tif 000006
【図６】
0005645711.tif 000007
【図７】
0005645711.tif 000008
【図８】
0005645711.tif 000009